(57)【要約】【課題】本考案は、差し込んだ書面や書類等が不用意に脱落する可能性を低くすることができるクリアファイルを提供する。【解決手段】クリアファイル１０の合成樹脂フィルムシート１２に形成された折曲線１４を介して正面シート体１６と背面シート体１８が連続形成されている。この正面シート体１６の側辺１６Ａには略台形状の切欠部２０が形成されている。合成樹脂フィルムシート１２に形成された正面シート体１６と背面シート体１８は重なり合い、正面シート体１６の第１横辺１６Ｂと背面シート体１８の第１横辺１８Ｂ、正面シート体１６の第２横辺１６Ｃと背面シート体１８の第２横辺１８Ｃ、がそれぞれ接着されている。正面シート体１６と背面シート体１８の間には差込部２２が形成され、正面シート体１６の側辺１６Ａと背面シート体１８の側辺１８Ａの間には差込部開口２４が形成されている。【選択図】図１
0003178420.tif 000002
【実用新案登録請求の範囲】
【請求項１】
シート状のクリアファイル形成シートを折曲線で折り曲げることにより重なり合うように形成された矩形状の第１シート体及び第２シート体と、この第１シート体と第２シート体との間に設けられた差込部と、前記第１シート体の第１横辺と接着された前記第２シート体の第１横辺と、前記第１シート体の第２横辺と接着された前記第２シート体の第２横辺と、前記第１シート体の側辺と前記第２シート体の間に形成された差込部開口と、を有してなることを特徴とするクリアファイル。
【請求項２】
シート状のクリアファイル形成シートを折曲線で折り曲げることにより重なり合うように形成された矩形状の第１シート体及び第２シート体と、この第１シート体と第２シート体との間に設けられた差込部と、前記第１シート体の側辺に側辺に沿って形成された切欠部と、前記第１シート体の第１横辺と接着された前記第２シート体の第１横辺と、前記第１シート体の第２横辺と接着された前記第２シート体の第２横辺と、前記第１シート体の側辺と前記第２シート体の側辺の間に形成された差込部開口と、を有してなることを特徴とするクリアファイル。
【請求項３】
シート状のクリアファイル形成シートを折曲線で折り曲げることにより重なり合うように形成された矩形状の第１シート体及び第２シート体と、この第１シート体と第２シート体との間に配設されると共に前記第１シート体と第２シート体との間に複数の差込部を形成する差込部形成シートと、前記第１シート体の第１横辺と接着された前記第２シート体の第１横辺及び差込部形成シートの第１横辺と、前記第１シート体の第２横辺と接着された前記第２シート体の第２横辺及び差込部形成シートの第２横辺と、前記第１シート体の側辺と前記差込部形成シート体の側辺と前記第２シート体の間にそれぞれ形成された差込部開口と、を有してなることを特徴とするクリアファイル。
【請求項４】
シート状のクリアファイル形成シートを折曲線で折り曲げることにより重なり合うように形成された矩形状の第１シート体及び第２シート体と、この第１シート体と第２シート体との間に配設されると共に前記第１シート体と第２シート体との間に複数の差込部を形成する差込部形成シートと、この差込部形成シートの側辺に側辺に沿って形成された切欠部と、前記第１シート体の第１横辺と接着された前記第２シート体の第１横辺及び差込部形成シートの第１横辺と、前記第１シート体の第２横辺と接着された前記第２シート体の第２横辺及び差込部形成シートの第２横辺と、前記第１シート体の側辺と前記差込部形成シート体の側辺と前記第２シート体の間にそれぞれ形成された差込部開口と、を有してなることを特徴とするクリアファイル。
【考案の詳細な説明】
【技術分野】
【０００１】
本考案は、書面や書類等を差し込んで保管、携帯したりすることができるクリアファイルに関し、詳しくは一度差し込んだ書面や書類等が不用意に脱落しにくいクリアファイルに関する。
【背景技術】
【０００２】
書面や書類等を差し込んだ状態で保管、携帯したりする商品として従来からクリアファイルが広く使用されている。
一般に、このクリアファイルは薄いファイル形成シート体を中央で折り曲げることにより正面シート体と背面シート体を折り重ね、正面シート体の底辺と背面シート体の底辺を接着することにより形成している。このクリアファイルの前記正面シート体と背面シート体との間には書面や書類等を差し込むことができる差込部が形成されている。
このため、前記クリアファイルは正面シート体の上辺と背面シート体の上辺及び正面シート体の側辺と背面シート体の側辺の２辺が非接着状態となっているので、クリアファイルの上辺又は側辺を介して書面や書類等を差込部に差し込むことができるようになっている。
しかし、上述したように従来のクリアフィルは上辺及び側辺の２辺が非接着状態とされているので、正面シート体と背面シート体が捲れ易くクリアファイルの差込部に差し込んだ書面や書類等がクリアファイルの上辺又は側辺から不用意に脱落してしまうという不具合がある。
【考案の概要】
【考案が解決しようとする課題】
【０００３】
本考案は、上記事実に鑑みなされたものであり、差し込んだ書面や書類等が不用意に脱落する可能性を低くすることができるクリアファイルを提供するものである。
【課題を解決するための手段】
【０００４】
請求項１の考案は、シート状のクリアファイル形成シートを折曲線で折り曲げることにより重なり合うように形成された矩形状の第１シート体及び第２シート体と、この第１シート体と第２シート体との間に設けられた差込部と、前記第１シート体の第１横辺と接着された前記第２シート体の第１横辺と、前記第１シート体の第２横辺と接着された前記第２シート体の第２横辺と、前記第１シート体の側辺と前記第２シート体の間に形成された差込部開口と、を有してなることを特徴としている。
請求項２の考案は、シート状のクリアファイル形成シートを折曲線で折り曲げることにより重なり合うように形成された矩形状の第１シート体及び第２シート体と、この第１シート体と第２シート体との間に設けられた差込部と、前記第１シート体の側辺に側辺に沿って形成された切欠部と、前記第１シート体の第１横辺と接着された前記第２シート体の第１横辺と、前記第１シート体の第２横辺と接着された前記第２シート体の第２横辺と、前記第１シート体の側辺と前記第２シート体の側辺の間に形成された差込部開口と、を有してなることを特徴としている。
請求項３の考案は、シート状のクリアファイル形成シートを折曲線で折り曲げることにより重なり合うように形成された矩形状の第１シート体及び第２シート体と、この第１シート体と第２シート体との間に配設されると共に前記第１シート体と第２シート体との間に複数の差込部を形成する差込部形成シートと、前記第１シート体の第１横辺と接着された前記第２シート体の第１横辺及び差込部形成シートの第１横辺と、前記第１シート体の第２横辺と接着された前記第２シート体の第２横辺及び差込部形成シートの第２横辺と、前記第１シート体の側辺と前記差込部形成シート体の側辺と前記第２シート体の間にそれぞれ形成された差込部開口と、を有してなることを特徴としている。
請求項４の考案は、シート状のクリアファイル形成シートを折曲線で折り曲げることにより重なり合うように形成された矩形状の第１シート体及び第２シート体と、この第１シート体と第２シート体との間に配設されると共に前記第１シート体と第２シート体との間に複数の差込部を形成する差込部形成シートと、この差込部形成シートの側辺に側辺に沿って形成された切欠部と、前記第１シート体の第１横辺と接着された前記第２シート体の第１横辺及び差込部形成シートの第１横辺と、前記第１シート体の第２横辺と接着された前記第２シート体の第２横辺及び差込部形成シートの第２横辺と、前記第１シート体の側辺と前記差込部形成シート体の側辺と前記第２シート体の間にそれぞれ形成された差込部開口と、を有してなることを特徴としている。
【考案の効果】
【０００５】
本考案のクリアファイルは、差込部に差し込んだ書面や書類等が不用意に脱落する可能性を低くすることができるという優れた効果を有する。
請求項２、請求項４の本考案のクリアファイルは、切欠部を形成したので差込部に書面や書類等を容易に差し込むことができると共に差込部に差し込まれている書面や書類等を容易に取り出すことができるという優れた効果を有する。
請求項２、請求項４の本考案のクリアファイルは、切欠部を形成したのでクリアファイルに差し込んだ書面や書類等を取り出さなくなくても切欠部を介して書面や書類等の内容を知ることができるという優れた効果を有する。
請求項２、請求項４のクリアファイルは、切欠部を形成したので差し込んだ書面や書類等を取り出さなくても切欠部を介して書面や書類等の内容を知ることができるので、書面や書類等の保管整理用品としても使用できるという優れた効果を有する。
請求項３、請求項４のクリアファイルは、差込部が複数形成されているので書面や書類等毎に分けて複数の差込部に分けて差し込むことができるという優れた効果を有する。
【図面の簡単な説明】
【０００６】
【図１】第１実施例のクリアファイルの正面図である。
【図２】第１実施例のクリアファイルの展開図図である。
【図３】第１実施例のクリアファイルに書類を差し込んだ状態の正面図である。
【図４】第１実施例のクリアファイルに書類を差し込む状態の正面図である。
【図５】第１実施例のクリアファイルの変形例を示す正面図である。
【図６】第２実施例のクリアファイルの正面図である。
【図７】第２実施例のクリアファイルの展開図図である。
【考案を実施するための形態】
【０００７】
考案を実施するために最良の形態の例として以下のような実施例を示す。
【実施例１】
【０００８】
図１〜図４には本考案にクリアファイルの第１実施例が示されている。
図２に示されるように、クリアファイル１０はクリアファイル形成シートとしての薄い合成樹脂フィルムシート１２によって形成されている。この合成樹脂フィルムシート１２は横長の矩形状に形成され、合成樹脂フィルムシート１２の内側面１２Ａは緑色が印刷され、合成樹脂フィルムシート１２の外側面１２Ｂは紫色が印刷されている。従って、前記合成樹脂フィルムシート１２は不透明に形成されている。
前記合成樹脂フィルムシート１２の横方向の中央には直線状の折曲線１４が上下方向に向かって形成され、この折曲線１４を介して合成樹脂フィルムシート１２には第１シート体としての矩形状の正面シート体１６と第２シート体としての矩形状の背面シート体１８が連続形成されている。
この正面シート体１６の側辺１６Ａには側辺１６Ａに沿って側辺１６Ａの上下寸法よりも少し短い上下寸法で略台形状に形成された切欠部２０が切り欠き形成されている。これに対し、前記背面シート体１８の側辺１８Ａには切欠部は形成されず直線状に形成されている。
図１に示されるように、前記合成樹脂フィルムシート１２は折曲線１４で折り曲げられ正面シート体１６と背面シート体１８が重なり合わされている。また、前記正面シート体１６の第１横辺１６Ｂと背面シート体１８の第１横辺１８Ｂ、前記正面シート体１６の第２横辺１６Ｃと背面シート体１８の第２横辺１８Ｃ、がそれぞれ適宜接着手段で接着されている。これにより、前記正面シート体１６と背面シート体１８の間には書面１（図３、図４参照）や書類等を差し込むことができる差込部２２が形成されている。
前記正面シート体１６の側辺１６Ａと背面シート体１８の側辺１８Ａは非接着とされ差込部開口２４が形成されている。従って、この差込部開口２４を介して前記差込部２２に書面１や書類等を差し込んだり取り出したりすることができるようになっている。
【０００９】
次に、第１実施例のクリアファイル１０の作用について、書面１を差込部２２に差し込んだり、差込部２２から取り出したりする場合を例にして説明する。
前記クリアファイル１０の差込部２２に書面１を差し込む場合は、差込部開口２４を介して差込部２２に書面１を差し込むことができる。この場合、前記正面シート体１６の側辺１６Ａに切欠部２０が形成されているので、指で正面シート体１６を摘み易く正面シート体１６を背面シート体１８から離間させるようにすることにより差込部開口２４を広げることができ、書面１を容易に差込部２２に差し込むことができる（図３参照）。
また、図４に示されるように、書面１の角部１Ａを背面シート体１８の側辺１８Ａ周辺部に当てることにより背面シート体１８の側辺１８Ａ周辺部をガイド部にすれば書面１を差込部２２に容易に差し込むこともできる。
本考案のクリアファイル１０は、正面シート体１６の第１横辺１６Ｂと背面シート体１８の第１横辺１８Ｂ、前記正面シート体１６の第２横辺１６Ｃと背面シート体１８の第２横辺１８Ｃがそれぞれ接着されているので、差込部２２に差し込まれた書面１は差込部開口２４を介してのみ取り出すことができる。
このため、従来のクリアファイルに比べて差し込んだ書面１が不用意に脱落する可能性を低くすることができるので、書面１の紛失等を可及的に防止することができる。
なお、前記クリアフィル１０の差込部２２に差し込んだ書面１を取り出す場合は切欠部２０に対応している書面１の側辺部１Ｂを指で押えることができるので指で押えた書面１を引くことにより容易に差込部２２から書面１を取り出すことがきる。
また、前記正面シート体１６には切欠部２０が形成されているので、クリアファイル１０の切欠部２０に対応する書面１の側辺部１Ｂは露出している。このため、書面１の側辺部１Ｂに書類名（例えば図３に示す「○△○△資料」）等を記載しておけばクリアファイル１０に差し込んだ書面１が一見して分かるので書面１を整理した状態で保管、携帯することができ便利である。また、これによりクリアフィル１０を書面１の整理用製品として使用することもできる。
なお、前記クリアファイル１０の合成樹脂フィルムシート１２の内側面１２Ａは緑色が印刷され、合成樹脂フィルムシート１２の外側面１２Ｂは紫色が印刷されているため差込部２２に書面１を差し込んだ場合に外側から差し込んだ書面１に記載された文字等を読むことができないので重要書類等を差し込んでおく場合も便利である。
【００１０】
図５には第１実施例のクリアファイルの変形例が記載されている。このクリアファイル１０の正面シート体１６と背面シート体１８には格子状模様３０が施されている。
前記合成樹脂フィルムシート１２の内側面１２Ａには緑色が印刷され、合成樹脂フィルムシート１２の外側面１２Ｂには紫色が印刷されているので、格子模様３０の色を別の色で印刷することにより格子模様３０を際立たせることができる。
この結果、前記クリアファイル１０の意匠デザインや外観品質を向上させることができる。
なお、前記正面シート体１６と背面シート体１８に施す模様は格子状模様３０に限定されるものでなく他の模様やデザインでもよい。
【００１１】
図６及び図７にはクリアファイルの第２実施例が示されている。なお、第１実施例と同一の構成は同一の符号を用いて説明する。
図７に示されるように第２実施例のクリアファイル４０の合成樹脂フィルムシート１２の横方向の中央よりも少し左側には直線状の折曲線１４が上下方向に向かって形成され、この折曲線１４を介して合成樹脂フィルムシート１２には正面シート体４２と、この正面シート体４２よりも少し大きい矩形状の背面シート体４４が連続形成されている。
前記背面シート体４４の内側面には背面シート体４４より僅かに小さい矩形状の差込部形成シート体４６が配設されている。この差込部形成シート体４６は前記合成樹脂フィルムシート１２と同一素材の合成樹脂フィルムシートで形成されている。
この差込部形成シート体４６の側辺４６Ａには側辺４６Ａに沿って側辺４６Ａの上下寸法よりも少し短い上下寸法で略台形状に形成された切欠部４８が切り欠き形成されている。これに対し、前記正面シート体４２の側辺４２Ａと背面シート体４４の側辺４４Ａには切欠部は形成されず直線状に形成されている。
図６に示されるように、前記合成樹脂フィルムシート１２は折曲線１４で折り曲げられ正面シート体４２と背面シート体４４が差込部形成シート体４６を挟んだ状態で重なり合わされている。
また、前記正面シート体４２の第１横辺４２Ｂと背面シート体４４の第１横辺４４Ｂと差込部形成シート体４６の第１横辺４６Ｂ、前記正面シート体４２の第２横辺４２Ｃと背面シート体４４の第２横辺４４Ｃと差込部形成シート体４６の第２横辺４６Ｃ、がそれぞれ適宜接着手段で接着されている。
これにより、前記正面シート体４２と差込部形成シート体４６によって書面１や書類等を差し込むことができる第１差込部５０が形成され、差込部形成シート体４６と背面シート体４４によって書面１や書類等を差し込むことができる第２差込部５２が形成されている。
前記正面シート体４２の側辺４２Ａは非接着とされ第１差込部開口５４が形成されている。従って、この第１差込部開口５４を介して前記第１差込部５０に書面１や書類等を差し込んだり取り出したりすることができるようになっている。また、前記差込部形成シート体４６の側辺４６Ａは非接着とされ第２差込部開口５６が形成されている。従って、この第２差込部開口５６を介して前記第２差込部５２に書面１や書類等を差し込んだり取り出したりすることができるようになっている
従って、第２実施例のクリアファイル４０においては２つの第１差込部５０、第２差込部５２が形成されているので、異なる書面１を区別して第１差込部５０、第２差込部５２に差し込むことができて便利である。
なお、第２実施例ではクリアファイル４０に差込部形成シート体４６を１枚設けて第１差込部５０と第２差込部５２の２つの差込部を形成した場合を示したが、差込部形成シート体４６を２枚以上設けてより多くの差込部を形成してもよいことは勿論である。
また、第２実施例では正面シート体４２の側辺４２Ａには切欠部を形成しなかったが、正面シート体４２の側辺４２Ａに切欠部を形成してもよいことは勿論である。
なお、他の作用、効果は第１実施例のクリアファイル１０と同じであるのでその説明は省略する。
【００１２】
なお、実施例ではクリアファイル１０，４０は合成樹脂フィルムシート１２で形成したが、クリアファイル１０は合成樹脂フィルムシート以外の素材、例えば紙等の他の素材で形成してもよいことは勿論である。
また、実施例では切欠部２０，４８の形状を略台形状に形成したが、切欠部２０，４８の形状は台形状に限定されるものでなく長方形状等他の形状でもよいことは勿論である。
なお、実施例では合成樹脂フィルムシート１２の内側面１２Ａは緑色、合成樹脂フィルムシート１２の外側面１２Ｂは紫色、をそれぞれ印刷したが合成樹脂フィルムシート１２に印刷される色は実施例に限定されるものでなく、また合成樹脂フィルムシート１２の内側面１２Ａと合成樹脂フィルムシート１２の外側面１２Ｂに同じ色を印刷してもよいことは勿論である。
また、実施例では合成樹脂フィルムシート１２に色彩を印刷して非透明にしたが、合成樹脂フィルムシート１２は透明でもよいことは勿論である。
【産業上の利用可能性】
【００１３】
本考案のクリアファイルは、書面以外のものを差し込む場合以外にも使用することができる。
【符号の説明】
【００１４】
１０    クリアファイル
１２    合成樹脂フィルムシート
１２Ａ  内側面
１２Ｂ  外側面
１４    折曲線
１６    正面シート体
１８    背面シート体
１６Ａ  側辺
１６Ｂ  第１横辺
１６Ｃ  第２横辺
１８Ａ  側辺
１８Ｂ  第１横辺
１８Ｃ  第２縦辺
２０    切欠部
２２    差込部
２４    差込部開口
【図１】
0003178420.tif 000003
【図２】
0003178420.tif 000004
【図３】
0003178420.tif 000005
【図４】
0003178420.tif 000006
【図５】
0003178420.tif 000007
【図６】
0003178420.tif 000008
【図７】
0003178420.tif 000009